(57)【特許請求の範囲】
【請求項１】
固有の識別情報を有する表紙用識別コードがそれぞれの表紙に付された複数のアルバムと、
前記アルバムに関する情報を処理する携帯端末装置と、
前記表紙用識別コードに関連付けられたコンテンツ情報を予め記憶する記憶手段と、を備え、
前記携帯端末装置は、前記表紙を撮像可能な撮像部と、前記コンテンツ情報を表示可能な表示部と、制御部と、を備え、
前記制御部は、
前記記憶手段に記憶された前記コンテンツ情報のうち、検索対象とする第１のコンテンツ情報の指定を受け付け、
前記記憶手段から、前記第１のコンテンツ情報に関連付けられた前記表紙用識別コードの第１の識別情報を取得し、
前記撮像部により撮像された撮像画像から、前記表紙に付された前記表紙用識別コードを認識し、認識した前記表紙用識別コードから第２の識別情報を取得し、
取得した前記第２の識別情報と前記第１の識別情報とを比較して、一致すると判断した場合に、前記撮像画像上に目印画像を重ね合わせて、前記表示部に表示する、アルバムシステム。
【請求項２】
前記撮像画像上の前記目印画像の表示位置が、前記表紙用識別コードを認識した前記アルバムの位置に対応する、請求項１に記載のアルバムシステム。
【請求項３】
固有の識別情報を有する表紙用識別コードがそれぞれの表紙に付された複数のアルバムに関する情報を処理する携帯端末装置であって、
前記表紙を撮像可能な撮像部と、前記表紙用識別コードに関連付けられたコンテンツ情報を予め記憶する記憶手段と、前記コンテンツ情報を表示可能な表示部と、制御部と、を備え、
前記制御部は、
前記記憶手段に記憶された前記コンテンツ情報のうち、検索対象とする第１のコンテンツ情報の指定を受け付け、
前記記憶手段から、前記第１のコンテンツ情報に関連付けられた前記表紙用識別コードの第１の識別情報を取得し、
前記撮像部により撮像された撮像画像から、前記表紙に付された前記表紙用識別コードを認識し、認識した前記表紙用識別コードから第２の識別情報を取得し、
取得した前記第２の識別情報と前記第１の識別情報とを比較して、一致すると判断した場合に、前記撮像画像上に目印画像を重ね合わせて、前記表示部に表示する、携帯端末装置。
【請求項４】
固有の識別情報を有する表紙用識別コードがそれぞれの表紙に付された複数のアルバムと、前記アルバムに関する情報を処理する携帯端末装置と、前記表紙用識別コードに関連付けられたコンテンツ情報を予め記憶する記憶手段と、を備えるアルバムシステムを制御する方法であって、
前記携帯端末装置は、前記表紙を撮像可能な撮像部と、前記コンテンツ情報を表示可能な表示部と、制御部と、を備え、
前記制御部は、
前記記憶手段に記憶された前記コンテンツ情報のうち、検索対象とする第１のコンテンツ情報の指定を受け付けるステップと、
前記記憶手段から、前記第１のコンテンツ情報に関連付けられた前記表紙用識別コードの第１の識別情報を取得するステップと、
前記撮像部により撮像された撮像画像から、前記表紙に付された前記表紙用識別コードを認識し、認識した前記表紙用識別コードから第２の識別情報を取得するステップと、
取得した前記第２の識別情報と前記第１の識別情報とを比較して、一致すると判断した場合に、前記撮像画像上に目印画像を重ね合わせて、前記表示部に表示するステップとを含む、制御方法。
【請求項５】
固有の識別情報を有する表紙用識別コードがそれぞれの表紙に付された複数のアルバムと、前記アルバムに関する情報を処理する携帯端末装置と、前記表紙用識別コードに関連付けられたコンテンツ情報を予め記憶する記憶手段と、を備えるアルバムシステムを制御する制御プログラムであって、
前記携帯端末装置は、前記表紙を撮像可能な撮像部と、前記コンテンツ情報を表示可能な表示部と、制御部と、を備え、
前記制御部に、
前記記憶手段に記憶された前記コンテンツ情報のうち、検索対象とする第１のコンテンツ情報の指定を受け付ける機能と、
前記記憶手段から、前記第１のコンテンツ情報に関連付けられた前記表紙用識別コードの第１の識別情報を取得する機能と、
前記撮像部により撮像された撮像画像から、前記表紙に付された前記表紙用識別コードを認識し、認識した前記表紙用識別コードから第２の識別情報を取得する機能と、
取得した前記第２の識別情報と前記第１の識別情報とを比較して、一致すると判断した場合に、前記撮像画像上に目印画像を重ね合わせて、前記表示部に表示する機能とを実現させる、制御プログラム。
【発明の詳細な説明】
【技術分野】
【０００１】
本発明は、所望の写真が収容されているアルバムを複数のアルバムから容易に判別することができるアルバムシステム、携帯端末装置、制御方法、および制御プログラムに関する。
【背景技術】
【０００２】
一般的に、複数の写真を保存して管理するときは、例えば、特許文献１に記載のようなアルバムに複数の写真を収容して管理している。このようなアルバムによれば、収容した写真をきれいに保存することができると共に、写真を整理して保存することができるので、写真を見やすい状態で管理することができる。したがって、アルバムのユーザーは、目的の写真を手軽に見ることができる。
【先行技術文献】
【特許文献】
【０００３】
【特許文献１】特開平７−１２５４８５号公報
【発明の概要】
【発明が解決しようとする課題】
【０００４】
近年のカメラ付き携帯電話やスマートフォンの普及により、ユーザーが写真を撮る機会が増えており、それに伴い、ユーザーが所有するアルバムの数も増えている。しかしながら、写真の枚数が増大して管理すべきアルバムの数が増大すると、どの写真をどのアルバムに収容していたのかがわからなくなるという問題があった。
【０００５】
本発明は、上記問題を解決するためになされたものであって、複数のアルバムの中から写真がどのアルバムに収容されているのかを容易に判別することができるアルバムシステム、携帯端末装置、制御方法、および制御プログラムの提供を目的とする。
【課題を解決するための手段】
【０００６】
本発明は、上記課題を解決するためのアルバムシステムであって、固有の識別情報を有する表紙用識別コードがそれぞれの表紙に付された複数のアルバムと、前記アルバムに関する情報を処理する携帯端末装置と、前記表紙用識別コードに関連付けられたコンテンツ情報を予め記憶する記憶手段と、を備え、前記携帯端末装置は、前記表紙を撮像可能な撮像部と、前記コンテンツ情報を表示可能な表示部と、制御部と、を備え、前記制御部は、前記記憶手段に記憶された前記コンテンツ情報のうち、検索対象とする第１のコンテンツ情報の指定を受け付け、前記記憶手段から、前記第１のコンテンツ情報に関連付けられた前記表紙用識別コードの第１の識別情報を取得し、前記撮像部により撮像された撮像画像から、前記表紙に付された前記表紙用識別コードを認識し、認識した前記表紙用識別コードから第２の識別情報を取得し、取得した前記第２の識別情報と前記第１の識別情報とを比較して、一致すると判断した場合に、前記撮像画像上に目印画像を重ね合わせて、前記表示部に表示する、アルバムシステムである。
【０００７】
また、上記のアルバムシステムは、前記撮像画像上の前記目印画像の表示位置が、前記表紙用識別コードを認識した前記アルバムの位置に対応することが好ましい。
【０００８】
あるいは、本発明は、上記課題を解決するためになされたものであり、固有の識別情報を有する表紙用識別コードがそれぞれの表紙に付された複数のアルバムに関する情報を処理する携帯端末装置であって、前記表紙を撮像可能な撮像部と、前記表紙用識別コードに関連付けられたコンテンツ情報を予め記憶する記憶手段と、前記コンテンツ情報を表示可能な表示部と、制御部と、を備え、前記制御部は、前記記憶手段に記憶された前記コンテンツ情報のうち、検索対象とする第１のコンテンツ情報の指定を受け付け、前記記憶手段から、前記第１のコンテンツ情報に関連付けられた前記表紙用識別コードの第１の識別情報を取得し、前記撮像部により撮像された撮像画像から、前記表紙に付された前記表紙用識別コードを認識し、認識した前記表紙用識別コードから第２の識別情報を取得し、取得した前記第２の識別情報と前記第１の識別情報とを比較して、一致すると判断した場合に、前記撮像画像上に目印画像を重ね合わせて、前記表示部に表示する、携帯端末装置であってもよい。
【０００９】
あるいは、本発明は、上記課題を解決するためになされたものであり、固有の識別情報を有する表紙用識別コードがそれぞれの表紙に付された複数のアルバムと、前記アルバムに関する情報を処理する携帯端末装置と、前記表紙用識別コードに関連付けられたコンテンツ情報を予め記憶する記憶手段と、を備えるアルバムシステムを制御する方法であって、前記携帯端末装置は、前記表紙を撮像可能な撮像部と、前記コンテンツ情報を表示可能な表示部と、制御部と、を備え、前記制御部は、前記記憶手段に記憶された前記コンテンツ情報のうち、検索対象とする第１のコンテンツ情報の指定を受け付けるステップと、前記記憶手段から、前記第１のコンテンツ情報に関連付けられた前記表紙用識別コードの第１の識別情報を取得するステップと、前記撮像部により撮像された撮像画像から、前記表紙に付された前記表紙用識別コードを認識し、認識した前記表紙用識別コードから第２の識別情報を取得するステップと、取得した前記第２の識別情報と前記第１の識別情報とを比較して、一致すると判断した場合に、前記撮像画像上に目印画像を重ね合わせて、前記表示部に表示するステップとを含む、制御方法であってもよい。
【００１０】
あるいは、本発明は、上記課題を解決するためになされたものであり、固有の識別情報を有する表紙用識別コードがそれぞれの表紙に付された複数のアルバムと、前記アルバムに関する情報を処理する携帯端末装置と、前記表紙用識別コードに関連付けられたコンテンツ情報を予め記憶する記憶手段と、を備えるアルバムシステムを制御する制御プログラムであって、前記携帯端末装置は、前記表紙を撮像可能な撮像部と、前記コンテンツ情報を表示可能な表示部と、制御部と、を備え、前記制御部に、前記記憶手段に記憶された前記コンテンツ情報のうち、検索対象とする第１のコンテンツ情報の指定を受け付ける機能と、前記記憶手段から、前記第１のコンテンツ情報に関連付けられた前記表紙用識別コードの第１の識別情報を取得する機能と、前記撮像部により撮像された撮像画像から、前記表紙に付された前記表紙用識別コードを認識し、認識した前記表紙用識別コードから第２の識別情報を取得する機能と、取得した前記第２の識別情報と前記第１の識別情報とを比較して、一致すると判断した場合に、前記撮像画像上に目印画像を重ね合わせて、前記表示部に表示する機能とを実現させる、制御プログラムであってもよい。
【発明の効果】
【００１１】
本発明のアルバムシステム、携帯端末装置、制御方法、および制御プログラムによれば、所望の写真が収容されているアルバムを複数のアルバムから容易に判別することができる。
【図面の簡単な説明】
【００１２】
【図１】本発明の一実施形態に係るアルバムシステムの概略構成図であり、（ａ）はアルバムの斜視図であり、（ｂ）は携帯端末装置の正面図であり、（ｃ）は携帯端末装置の裏面図である。
【図２】アルバムの内側の平面図である。
【図３】シール片及び剥離基材の平面図である。
【図４】台紙の断面図である。
【図５】携帯端末装置のブロック図である。
【図６】コンテンツ情報記憶領域に記憶される記憶テーブルの一例を示す図である。
【図７】アルバムシステムにおけるデータ処理を示すフローチャートである。
【図８】コンテンツ情報がアルバム内に存在する場合の画面表示の一例である。
【図９】コンテンツ情報の登録処理のフローチャートである。
【図１０】コンテンツ情報記憶領域に記憶される記憶テーブルの他の一例を示す図である。
【図１１】他の実施形態に係る携帯端末装置のブロック図である。
【発明を実施するための形態】
【００１３】
以下、本発明の実施形態について添付図面を参照して説明する。まず、本発明の一実施形態に係るアルバムシステムの概略構成について説明し、次にアルバムシステムにおけるデータ処理について説明する。
【００１４】
アルバムシステムの概略構成
図１は、本発明の一実施形態に係るアルバムシステムの概略構成図であり、（ａ）はアルバムの斜視図であり、（ｂ）は携帯端末装置の正面図であり、（ｃ）は携帯端末装置の裏面図である。図１に示すように、このアルバムシステム１は、複数のアルバム２、２、・・・及び携帯端末装置３を備えている。
【００１５】
まず、アルバム２について説明する。図２は、アルバムの内側の平面図である。図１及び図２に示すように、各アルバム２は、外側の表紙１０と、表紙１０の内側に配置された複数の台紙１１とを備えている。表紙１０には、シール片１２が貼り付けられており、このシール片１２には、表紙用識別コード１５が表示されている。これにより、各アルバム２の表紙１０に、それぞれ、表紙用識別コード１５が付されている。表紙用識別コード１５を付す位置は特に限定されず、例えば、表紙１０の表表紙、背表紙、裏表紙、又は、内面に付すことができる。また、表紙１０としては、一般的なアルバムに用いられる公知の表紙を用いることができ、例えば、プラスチック又は厚紙などにより形成されている。
【００１６】
シール片１２は、図示しない粘着層を備えており、この粘着層により表紙１０に貼り付けることができる。また、シール片１２は、表紙１０に貼り付ける前は、図３に示すように、剥離基材１４の表面に配置されており、剥離基材１４から剥離して表紙１０に貼り付けることができる。剥離基材１４には複数のシール片１２を配置することができ、複数のシール片１２を一度に製造することができる。
【００１７】
図４は、台紙の断面図である。図４に示すように、台紙１１は、中央の基材１１０と、基材１１０の表面に配置された接着剤層１１１と、接着剤層１１１の表面に配置された基材保護層１１２と、基材保護層１１２の表面に配置された粘着剤層１１４と、基材保護層１１２の表面に配置された写真保護層１１３とを備えている。これにより、基材保護層１１２が基材１１０の表面を覆い、写真保護層１１３が基材保護層１１２の表面を覆っている。基材１１０としては、公知のプラスチック板又は厚紙などを用いることができ、接着剤層１１１としては、公知の樹脂系接着剤などを用いることができる。また、基材保護層１１２及び写真保護層１１３としては、公知のポリプロピレンフィルムなどを用いることができ、粘着剤層１１４としては、公知の樹脂系粘着剤を用いることができる。また、粘着剤層１１４と写真保護層１１３との間（粘着剤層１１４の上、写真保護層１１３の下）には、写真Ｐを配置することができ、ユーザーが選択した任意の写真Ｐを配置して写真保護層１１３により覆うことができる。これにより写真Ｐを保存することができる。また、基材１１０の表面には複数の台紙用識別コード１６が表示されており、これにより、台紙１１に複数の台紙用識別コード１６が付されている。また、各台紙用識別コード１６は、基材１１０に印刷されており、その上に接着剤層１１１が塗布されている。複数の台紙用識別コード１６を付す位置は、特に限定されないが、例えば、台紙１１の四隅に付すことができる。また、各台紙用識別コード１６を付す位置は、各写真Ｐを配置する位置と対応していることが好ましい。これにより、各台紙用識別コード１６と各写真Ｐとを対応付けて表示することができる。
【００１８】
表紙１０に付された表紙用識別コード１５及び台紙１１に付された台紙用識別コード１６としては、例えば、公知のＱＲコード（登録商標）及びバーコード等を用いることができ、本実施形態ではＱＲコード（登録商標）を用いている。また、各表紙用識別コード１５および各台紙用識別コード１６は、それぞれ固有の識別情報を有している。例えば、本実施形態では、各表紙用識別コード１５は、それぞれ、ａ１，ａ２，ａ３・・・の識別情報を有しており、また、各台紙用識別コード１６は、それぞれ、ｂ１，ｂ２，ｂ３・・・の識別情報を有している。また、固有の識別情報としては、特に限定されるものではないが、例えば、表紙用識別コード１５が付されたアルバム２に固有の登録番号、台紙用識別コード１６が表示された台紙１１における位置の情報、又は、台紙１１のページ番号などを用いることができる。また、読み取り可能な表紙用識別コード１５及び台紙用識別コード１６は、予めプログラムの中で設定されている。
【００１９】
次に、携帯端末装置３について説明する。図５は、携帯端末装置のブロック図である。図１及び図５に示すように、携帯端末装置３は、装置本体５、撮像部８、表示部４、タッチパネル９、記憶部６および制御部７を備えている。またその他に、携帯端末装置３は、無線通信のためのアンテナ、音声通話のためのマイクやスピーカーなどを備えている（いずれも図示せず）。このような携帯端末装置３としては、特に限定されるものではなく、例えば、スマートフォン、携帯電話機、ＰＤＡ、タブレットＰＣなどが挙げられる。
【００２０】
装置本体５としては、公知のスマートフォンの本体を用いることができ、電源スイッチや各種のボタンを備えている。また、撮像部８は、レンズを通して入射する被写体像を撮像する公知の構成であり、このような撮像部８としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２１】
表示部４としては、液晶ディスプレイや有機ＥＬディスプレイ等の公知の表示デバイスを用いることができ、その表示画面上に画像（静止画）や動画を表示することができる。また、タッチパネル９は、ユーザーが表面をタッチしたときにそのタッチ位置を認識可能な公知のタッチパネルであり、表示部４の上に重ねて配置されている。このタッチパネル９としては、抵抗膜方式、表面弾性波方式、電磁誘導方式、静電容量方式等、公知の方式のものを用いることができる。また、このタッチパネル９をユーザーがタッチすることにより、各種の入力をすることができる。例えば、タッチパネル９のタッチにより、撮像部８による撮像、表示部４における表示の指示を入力することができる。
【００２２】
記憶部６は、情報処理のためのプログラム及びデータを記憶する公知のハードディスク又は半導体メモリなどの記憶媒体により構成されている。この記憶部６は、コンテンツ情報を記憶するためのコンテンツ情報記憶領域６０と、後述の予備情報を記憶するための予備情報記憶領域６１とを備えている。コンテンツ情報記憶領域６０には、各表紙用識別コード１５に固有の識別情報と、各台紙用識別コード１６に固有の識別情報と、複数のコンテンツ情報とを、それぞれ関連付けて記憶することができる。コンテンツ情報としては、例えば、画像（静止画）、動画、テキストデータ、又は３Ｄコンテンツ（画像または動画）などにすることができる。画像に係るコンテンツ情報としては、例えば、ｊｐｅｇ及びｇｉｆなどのファイル形式の情報を用いることができる。また、動画に係るコンテンツ情報としては、例えば、ａｖｉ及びｍｐｅｇなどのファイル形式の情報を用いることができる。本実施形態では、複数のコンテンツ情報ｘ１、ｘ２、ｘ３・・・ｘ１３をコンテンツ情報記憶領域６０に格納している。
【００２３】
図６は、コンテンツ情報記憶領域に記憶される記憶テーブル（データベース）の一例を示す図である。図６に示すように、本実施形態では、コンテンツ情報ｘ１、ｘ２、ｘ３・・・は、各表紙用識別コード１５に固有の識別情報ａ１，ａ２，ａ３・・・と、各台紙用識別コード１６に固有の識別情報ｂ１，ｂ２，ｂ３・・・とに対応して、コンテンツ情報記憶領域６０の記憶テーブルに予め登録されている。ここで、データベースの１レコードは１つのコンテンツ情報に１対１に対応し、１つのコンテンツ情報が複数のレコードに重複して登録されることはない。コンテンツ情報の登録処理については後述する。これにより、各表紙用識別コード１５の識別情報と、各台紙用識別コード１６の識別情報と、複数のコンテンツ情報とが、関連付けられて記憶されている。また、登録するコンテンツ情報の具体的な内容（コンテンツ）は、ユーザーが自由に選択することができ、例えば、台紙１１に配置した写真Ｐの内容に関連するコンテンツを選択ことができる。また、記憶部６は、アルバムシステム１を制御するための制御プログラムを記憶している。
【００２４】
制御部７は、プログラム及びデータに基づいて情報処理をする公知のＣＰＵなどのプロセッサにより構成されている。この制御部７は、記憶部６に記憶されたアルバムシステムの制御プログラムを実行することにより、上記の各構成要素を制御することができる。
【００２５】
アルバムシステムにおけるデータ処理
次に、上記のような構成を備えるアルバムシステムにおけるデータ処理について説明する。このデータ処理は、記憶部６に記憶された制御プログラムにより実行される。なお、以下の説明において「リアルタイム」に表示するとは、即時に表示することを意味し、常識的な範囲内で、データ処理に関するタイムラグが存在する。
【００２６】
図７は、アルバムシステムにおけるデータ処理を示すフローチャートである。図７に示すように、ユーザーが携帯端末装置３を操作して、携帯端末装置３の制御部７は、記憶部６内に記憶されたコンテンツ情報の一覧を表示部４に表示する。本実施形態では、複数のコンテンツ情報はサムネイル形式で表示部４に表示される（ステップＳ１）。その後、ユーザーが検索対象のコンテンツ情報を選択し、制御部７は選択されたコンテンツ情報（図６に示す例を参照し、例えば「ｘ４」とする）を記憶しておく（ステップＳ２）。
【００２７】
次に、ユーザーは、表紙用識別コード１５が付された複数のアルバム２，２・・・から任意のアルバム２を選択する。携帯端末装置３の撮像部８は、選択されたアルバム２の表紙１０に付された表紙用識別コード１５を撮像し、制御部７は撮像画像４１をリアルタイムに表示部４に表示する（ステップＳ３）。
【００２８】
続いて、制御部７は、撮像画像４１から表紙用識別コード１５を認識し、この表紙用識別コード１５に固有の識別情報（例えば、「ａｃａｍｅｒａ」とする）を取得する（ステップＳ４）。撮像画像４１から取得されるこの識別情報「ａｃａｍｅｒａ」は、アルバム２に関する識別情報である。撮像画像４１から表紙用識別コード１５を認識する方法は特に限定されないが、例えば、ＱＲコード（登録商標）を表紙用識別コード１５として用いた場合、ＱＲコード（登録商標）のシンボルおよびパターンを認識する公知の方法により識別情報を認識することができる。
【００２９】
撮像画像４１から制御部７がシンボルを認識できない場合や、認識した識別情報が表紙用識別コード１５ではない他の情報の場合（ステップＳ５）には、制御部７は、「エラー」を意味する画像を撮像画像４１上に重ね合わせてリアルタイムに表示し（ステップＳ６）、再び上記のステップＳ３から処理を行う。
【００３０】
続いて、制御部７は、選択されたアルバム２内に、検索対象のコンテンツ情報が含まれているか否かを判断する（ステップＳ７）。例えば、検索対象であるコンテンツ情報「ｘ４」を検索キーとしてコンテンツ情報記憶領域６０の記憶テーブル（データベース）を検索し、記憶テーブルのレコードから、コンテンツ情報「ｘ４」に関連付けて登録されている表紙用識別コード１５の識別情報「ａ１」および台紙用識別コード１６の識別情報「ｂ４」のうち、アルバム２を特定する識別情報「ａ１」を取得する。この記憶テーブルから取得した識別情報「ａ１」と、ステップＳ４において撮像画像４１から取得した識別情報「ａｃａｍｅｒａ」とが一致する場合には、ステップＳ３において選択されたアルバム２内に、検索対象であるコンテンツ情報「ｘ４」が存在する。
【００３１】
図８は、コンテンツ情報がアルバム内に存在する場合の画面表示の一例である。一致する場合には、制御部７は、目印となる画像４２を撮像画像４１上に重ね合わせてリアルタイムに表示する（ステップＳ８）。ここで、目印となる画像４２を表示する位置は、撮像画像４１内の選択されたアルバム２に対応する位置である。一致しない場合には、ステップＳ３において選択されたアルバム２内に、検索対象であるコンテンツ情報「ｘ４」が存在しないので、制御部７は、「エラー」を意味する画像を撮像画像４１上に重ねあわせてリアルタイムに表示し（ステップ６）、再び上記のステップＳ３から処理を行う。
【００３２】
目印となる画像４２または「エラー」を意味する画像をリアルタイムに撮像画像４１上に重ね合わせて表示する方法については、例えば公知の拡張現実（AR: Augmented Reality）の技法により行うことができる。拡張現実アプリケーション用の開発環境としては、例えばAndARやAR ToolKit、FLARToolKit等の種々のツールキットが知られている。
【００３３】
以後、ユーザーから終了を意味する入力を受け付けるまで（ステップＳ９）、制御部７は上記のステップＳ３から繰り返し処理を行う。なお、撮像画像４１内に複数の表紙用識別コード１５が含まれている場合には、各表紙用識別コード１５毎に順番に、ステップＳ３〜ステップＳ７の処理を繰り返し実行すればよい。
【００３４】
上記実施形態に係るアルバムシステム１によれば、制御部７は、記憶手段６に記憶されたコンテンツ情報ｘ１〜ｘ１３のうち、検索対象とするコンテンツ情報の指定を受け付け、記憶手段６の記憶テーブルから、このコンテンツ情報に関連付けられた表紙用識別コードの識別情報を取得する。また、制御部７は、撮像部８により撮像された撮像画像４１から、アルバム２の表紙１０に付された表紙用識別コード１５を認識し、認識した表紙用識別コード１５からアルバム２に関する識別情報を取得する。そして、制御部７は、撮像部４１を介して取得した識別情報と、記憶テーブルから取得した識別情報とを比較して、一致すると判断した場合に、アルバム２内に検索対象とするコンテンツ情報が存在すると判断して、撮像画像４１上に目印画像４２を重ね合わせてリアルタイムに表示部４に表示する。これにより、ユーザーは、複数のアルバム２、２、・・・の中から、検索対象とする写真がどのアルバムに収容されているのかを容易に判別することができる。
【００３５】
また、撮像画像４１上の目印画像４２の表示位置を、表紙用識別コード１５を認識したアルバム２の位置に対応させることもできる。これにより、ユーザーは、目印画像４２が表示された位置のアルバム２内に、検索対象とするコンテンツ情報が存在することをより直感的に判別することができる。また、表紙用識別コード１５をシール片１２により表紙１０に付すことにより、表紙用識別コード１５を予め表紙１０に付しておく必要がなく、シール片１２により事後的に表紙１０に付すことができる。これにより、様々な種類のアルバムに表紙用識別コード１５を付すことができる。また、予め表紙用識別コード１５を表紙１０に付す必要がないため、アルバム２を製造するときの製造コストを抑えることができる。すなわち、予め同様の表紙用識別コード１５が付されたアルバム２を複数製造しておき、これらのアルバム２にシール片１２により表紙用識別コード１５を付すことにより、複数のアルバム２を分類することができる。これにより、アルバム２を製造するときに効率的に製造することができ、コストを抑えることができる。また、台紙１１の基材１１０の表面に台紙用識別コード１６を付し、この基材１１０を基材保護層１１２によって覆うことにより、台紙用識別コード１６を保護することができる。これにより、台紙用識別コード１６の劣化を防ぐことができるので、台紙用識別コード１６を確実に認識することができる。
【００３６】
以上、本発明の一実施形態について説明したが、本発明の具体的な態様は、上記実施形態に限定されるものではない。例えば、上記実施形態では、コンテンツ情報がコンテンツ情報記憶領域６０に予め記憶されている構成であったが、この構成に限定されるものではなく、コンテンツ情報の登録処理を事前に行うこともできる。コンテンツ情報の登録処理の一例について以下に説明する。
【００３７】
コンテンツ情報の登録処理では、コンテンツ情報と、表紙用識別コード１５に固有の識別情報と、台紙用識別コード１６に固有の識別情報とを、関連付けてコンテンツ情報記憶領域６０に記憶することができる。
【００３８】
コンテンツ情報の登録処理を行う場合、記憶部６は、予備情報記憶領域６１に予め予備情報を記憶しておくことができる。予備情報としては、上述のコンテンツ情報と同様の情報にすることができ、例えば、画像（静止画）及び動画などにすることができる。この予備情報は、表紙用識別コード１５および台紙用識別コード１６と関連付くことにより、コンテンツ情報としてコンテンツ情報記憶領域６０に保存される。また、この予備情報は、ユーザーが自由に予備情報記憶領域６１に保存しておくことができる。
【００３９】
図９は、コンテンツ情報の登録処理のフローチャートである。まず、ユーザーが、複数のアルバム２，２・・から任意のアルバム２を選択し、選択したアルバム２の表紙１０に付された表紙用識別コード１５を、携帯端末装置３の撮像部８により撮像する（ステップＳ２１）。
【００４０】
撮像後、制御部７は、撮像された表紙用識別コード１５を認識し、この表紙用識別コード１５に固有の識別情報を取得する（ステップＳ２２）。表紙用識別コード１５を認識する方法は特に限定されないが、例えば、ＱＲコード（登録商標）を表紙用識別コード１５として用いた場合、ＱＲコード（登録商標）のシンボルおよびパターンを認識する公知の方法により識別情報を認識することができる。
【００４１】
その後、ユーザーが、上記の選択したアルバム２において、台紙１１に付された複数の台紙用識別コード１６から任意の台紙用識別コード１６を選択し、選択した台紙用識別コード１６を、携帯端末装置３の撮像部８により撮像する（ステップＳ２３）。このとき、ユーザーは、複数の写真Ｐから興味のある写真Ｐを選択し、その写真Ｐに対応する位置に付された台紙用識別コード１６を撮像することができる。
【００４２】
撮像後、制御部７は、撮像された台紙用識別コード１６を認識し、この台紙用識別コード１６に固有の識別情報を取得する（ステップＳ２４）。台紙用識別コード１６を認識する方法は、上記の表紙用識別コード１５の場合と同様の方法を用いることができる。
【００４３】
続いて、ステップＳ２５において、予備情報記憶領域６１に予備情報がある場合は、制御部７が、予備情報記憶領域６１に記憶されている予備情報を表示部４に表示する（ステップＳ２５、ステップＳ２６）。予備情報を表示部４に表示する方法は特に限定されないが、本実施形態では、制御部７が、複数の予備情報をサムネイル形式で表示部４に表示する。
【００４４】
続いて、ユーザーが、複数の予備情報からコンテンツ情報として登録したい予備情報を選択し、当該予備情報が表示された位置のタッチパネル９をタッチする（ステップＳ２７）。予備情報が選択された後、制御部７は、予備情報をコンテンツ情報として登録するための登録ボタンを表示部４に表示する（ステップＳ２８）。続いて、ユーザーが、登録ボタンが表示された位置のタッチパネル９をタッチすると、制御部７は、選択された予備情報をコンテンツ情報としてコンテンツ情報記憶領域６０に記憶する（ステップＳ２９）。このとき制御部７は、コンテンツ情報（予備情報）と、上述のステップＳ２２およびステップＳ２４で認識した表紙用識別コード１５に固有の識別情報および台紙用識別コード１６に固有の識別情報とを関連付けて、データベースの１レコードとしてコンテンツ情報記憶領域６０の記憶テーブルに登録する。例えば、図１０に示すように、予備情報が「ｘ１」であり、表紙用識別コード１５に固有の識別情報が「ａ１」であり、台紙用識別コード１６に固有の識別情報が「ｂ１」である場合、予備情報「ｘ１」をコンテンツ情報として、識別情報「ａ１及びｂ１」と共に、コンテンツ情報記憶領域６０の記憶テーブルに保存する。これにより、表紙用識別コード１５に固有の識別情報ａ１と、台紙用識別コード１６に固有の識別情報ｂ１と、コンテンツ情報（予備情報）ｘ１とを関連付けて登録することができる。
【００４５】
上述のステップＳ２５において、予備情報が予備情報記憶領域６１に予め記憶されていない場合は、上述のステップＳ２５の後、制御部７が、撮像用の画面を表示部４に表示する（ステップＳ３６）。続いて、ユーザーが、コンテンツ情報として登録したい画像を撮像部８により撮像する（ステップＳ３７）。画像が撮像されると、制御部７は、撮像された画像をコンテンツ情報としてコンテンツ情報記憶領域６０の記憶テーブルに記憶する（ステップＳ３８）。このとき制御部７は、コンテンツ情報（予備情報）と、上述のステップＳ２２およびステップＳ２４で認識した表紙用識別コード１５に固有の識別情報および台紙用識別コード１６に固有の識別情報とを関連付けて、データベースの１レコードとしてコンテンツ情報記憶領域６０の記憶テーブルに登録する。
【００４６】
また、上記実施形態では、コンテンツ情報は、表紙用識別コード１５だけではなく、台紙用識別コード１６と共にデータベースとして記憶テーブルに登録されているが、コンテンツ情報は、必ずしも台紙用識別コード１６と共に記憶される必要はない。ユーザーは、検索対象のコンテンツ情報が、複数のアルバム２のうちどのアルバム２に収容されているのかがわかれば良いので、コンテンツ情報は、少なくとも表紙用識別コード１５と関連付けられてデータベースとして記憶テーブルに登録されていればよい。
【００４７】
また、上記実施形態では、ステップＳ７において、検索対象であるコンテンツ情報「ｘ４」を検索キーとして、記憶テーブルのレコードから、アルバム２を特定する識別情報「ａ１」を取得しているが、この処理は、必ずしもステップＳ７において実行される必要はない。処理のタイミングは、ユーザーから検索対象のコンテンツ情報「ｘ４」の指定を受けるステップＳ２の後であればよい。
【００４８】
また、上記の各実施形態では、携帯端末装置３に内蔵された記憶部６にコンテンツ情報を記憶する構成であったが、この構成に限定されるものではなく、携帯端末装置３の外部に配置された記憶手段にコンテンツ情報を記憶する構成であってもよい。図１１は、他の実施形態に係る携帯端末装置のブロック図である。図１１に示すように、他の実施形態に係る携帯端末装置３は、通信ネットワーク２０を介して、外部の記憶サーバー２１に接続されている。通信ネットワーク２０としては、公知のインターネットを用いることができ、携帯端末装置３と記憶サーバー２１との間で情報の送受信を行うことができる。このような構成によれば、携帯端末装置３は、通信ネットワーク２０を介してコンテンツ情報を記憶サーバー２１の記憶部６に送信して記憶すると共に、記憶したコンテンツ情報を記憶サーバー２１から受信することができる。また、その他に、表紙用識別コード１５に固有の識別情報、台紙用識別コード１６に固有の識別情報、及び、予備情報等も記憶サーバー２１の記憶部６に記憶することができる。
【符号の説明】
【００４９】
１    アルバムシステム
２    アルバム
３    携帯端末装置
４    表示部
５    装置本体
６    記憶部
７    制御部
８    撮像部
９    タッチパネル
１０    表紙
１１    台紙
１２    シール片
１４    剥離基材
１５    表紙用識別コード
１６    台紙用識別コード
２０  通信ネットワーク
２１  記憶サーバー
４１  撮像画像
４２  目印画像
６０  コンテンツ情報記憶領域
６１  予備情報記憶領域
１１０  基材
１１１  接着剤層
１１２  基材保護層
１１３  写真保護層
【図１】
0005921349.tif 000002
【図２】
0005921349.tif 000003
【図３】
0005921349.tif 000004
【図４】
0005921349.tif 000005
【図５】
0005921349.tif 000006
【図６】
0005921349.tif 000007
【図７】
0005921349.tif 000008
【図８】
0005921349.tif 000009
【図９】
0005921349.tif 000010
【図１０】
0005921349.tif 000011
【図１１】
0005921349.tif 000012